【手続補正書】
【提出日】平成16年6月15日(2004.6.15)
【手続補正１】
【補正対象書類名】明細書
【補正対象項目名】発明の名称
【補正方法】変更
【補正の内容】
【発明の名称】カラー画像処理装置、画像出力方法、並びに画像形成装置及び方法
【手続補正２】
【補正対象書類名】明細書
【補正対象項目名】特許請求の範囲
【補正方法】変更
【補正の内容】
【特許請求の範囲】
【請求項１】
ネットワークに接続されたカラー画像処理装置であって、前記ネットワークからのＰＤＬデータを画像データに展開するラスタライズ手段と、該ラスタライズ手段により展開された画像データをストアするストア手段と、該ストア手段によりストアされている画像データに基づき画像形成を行なう画像形成手段とを有するカラー画像処理装置において、
前記ストア手段により画像データがストアされた場合に、キャリブレーション実行中であるか否かを判断する判断手段と、
該判断手段によりキャリブレーション実行中と判断された場合には、該キャリブレーション実行が終了するまで待機させた後、前記画像形成手段による画像形成を開始させ、他方、キャリブレーション実行中でないと判断された場合には、前記画像形成手段による画像形成を開始させる制御手段と
を備えたことを特徴とするカラー画像処理装置。
【請求項２】
請求項１において、前記画像形成手段は、電子写真方式で画像形成を行なうことを特徴とするカラー画像処理装置。
【請求項３】
請求項１において、前記画像形成手段は、インクジェット方式で画像形成を行なうことを特徴とするカラー画像処理装置。
【請求項４】
ネットワークに接続されたカラー画像処理装置であって、該ネットワークからのファックス受信データを解釈する解釈手段と、該解釈手段により解釈された画像データをストアするストア手段と、該ストア手段によりストアされた画像データに基づき画像形成する画像形成手段とを有するカラー画像処理装置において、
前記ストア手段により画像データがストアされた場合に、キャリブレーション実行中であるか否かを判断する判断手段と、
該判断手段によりキャリブレーション実行中と判断された場合には、該キャリブレーション実行が終了するまで待機させた後、前記画像形成手段による画像形成を開始させ、他方、キャリブレーション実行中でないと判断された場合には、前記画像形成手段による画像形成を開始させる制御手段と
を備えたことを特徴とするカラー画像処理装置。
【請求項５】
請求項４において、前記画像形成手段は、電子写真方式で画像形成を行なうことを特徴とするカラー画像処理装置。
【請求項６】
請求項４において、前記画像形成手段は、インクジェット方式で画像形成を行なうことを特徴とするカラー画像処理装置。
【請求項７】
ネットワークに接続されたカラー画像処理装置であって、前記ネットワークからのＰＤＬデータを画像データに展開するラスタライズ手段と、該ラスタライズ手段により展開された画像データをストアするストア手段と、該ストア手段によりストアされている画像データに基づき画像形成を行なう画像形成手段とを有するカラー画像処理装置の画像出力方法において、
前記ストア手段により画像データがストアされたとき、キャリブレーション実行中であるか否かを判断する判断ステップと、
該判断ステップによりキャリブレーション実行中と判断された場合には、該キャリブレーション実行が終了するまで待機させた後、前記画像形成手段による画像形成を開始させ、他方、キャリブレーション実行中でないと判断された場合には、前記画像形成手段による画像形成を開始させる制御ステップと
を備えたことを特徴とする画像出力方法。
【請求項８】
ネットワークに接続されたカラー画像処理装置であって、該ネットワークからのファックス受信データを解釈する解釈手段と、該解釈手段により解釈された画像データをストアするストア手段と、該ストア手段によりストアされた画像データに基づき画像形成する画像形成手段とを有するカラー画像処理装置の画像出力方法において、
前記ストア手段により画像データがストアされたとき、キャリブレーション実行中であるか否かを判断する判断ステップと、
該判断ステップによりキャリブレーション実行中と判断された場合には、該キャリブレーション実行が終了するまで待機させた後、前記画像形成手段による画像形成を開始させ、他方、キャリブレーション実行中でないと判断された場合には、前記画像形成手段による画像形成を開始させる制御ステップと
を備えたことを特徴とする画像出力方法。
【請求項９】
ホスト装置から受信した画像データに基づき画像形成用データを作成し、該画像形成用データに基づいて画像形成を行なう画像形成装置において、
本画像形成装置の画像出力特性を所定の特性に設定するためのキャリブレーションを実行するキャリブレーション手段と、
前記ホスト装置から画像データを受信した場合、前記キャリブレーション手段によってキャリブレーションが実行中のときは、当該実行中に少なくとも前記画像形成用データの作成を行う制御手段と
を備えたことを特徴とする画像形成装置。
【請求項１０】
ホスト装置から受信した画像データに基づき画像形成用データを作成し、該画像形成用データに基づいて画像形成を行なう画像形成方法において、
当該画像形成装置の画像出力特性を所定の特性に設定するためのキャリブレーションを実行するキャリブレーションステップと、
前記ホスト装置から画像データを受信した場合、前記キャリブレーションステップによりキャリブレーションが実行中のときは、当該実行中に少なくとも前記画像形成用データの作成を行う制御ステップと
を備えたことを特徴とする画像形成方法。
【手続補正３】
【補正対象書類名】明細書
【補正対象項目名】０００１
【補正方法】変更
【補正の内容】
【０００１】
【発明の属する技術分野】
本発明は、ネットワークに接続されたカラー画像処理装置及び画像出力方法に関するとともに、ホスト装置から受信した画像データに基づき作成した画像形成用データに基づいて画像形成を行なう画像形成装置および方法に関する。
【手続補正４】
【補正対象書類名】明細書
【補正対象項目名】０００９
【補正方法】変更
【補正の内容】
【０００９】
本発明の第１の目的は、上記のような問題点を解決し、キャリブレーション実行中にネットワークからＰＤＬ印刷ジョブが投入された場合に、キャリブレーション実行に干渉せずにＰＤＬ出力ができるカラー画像処理装置及び画像出力方法を提供することにある。
本発明の第２の目的は、上記のような問題点を解決し、キャリブレーション実行中にネットワークからファックス受信印刷ジョブが投入された場合に、キャリブレーション実行に干渉せずにファックス受信出力ができるカラー画像処理装置及び画像出力方法を提供することにある。
【手続補正５】
【補正対象書類名】明細書
【補正対象項目名】００１０
【補正方法】変更
【補正の内容】
【００１０】
本発明の第３の目的は、上記のような問題点を解決し、キャリブレーション実行中にホスト装置からＰＤＬ印刷ジョブが投入された場合に、キャリブレーション実行に干渉せずにＰＤＬ出力ができる画像形成装置及び方法を提供することにある。
本発明の第４の目的は、上記のような問題点を解決し、キャリブレーション実行中にホスト装置からファックス受信印刷ジョブが投入された場合に、キャリブレーション実行に干渉せずにファックス受信出力ができる画像形成装置及び方法を提供することにある。
【手続補正６】
【補正対象書類名】明細書
【補正対象項目名】００１６
【補正方法】変更
【補正の内容】
【００１６】
請求項８の発明は、ネットワークに接続されたカラー画像処理装置であって、該ネットワークからのファックス受信データを解釈する解釈手段と、該解釈手段により解釈された画像データをストアするストア手段と、該ストア手段によりストアされた画像データに基づき画像形成する画像形成手段とを有するカラー画像処理装置の画像出力方法において、前記ストア手段により画像データがストアされたとき、キャリブレーション実行中であるか否かを判断する判断ステップと、該判断ステップによりキャリブレーション実行中と判断された場合には、該キャリブレーション実行が終了するまで待機させた後、前記画像形成手段による画像形成を開始させ、他方、キャリブレーション実行中でないと判断された場合には、前記画像形成手段による画像形成を開始させる制御ステップとを備えたことを特徴とする。
請求項９の発明は、ホスト装置から受信した画像データに基づき画像形成用データを作成し、該画像形成用データに基づいて画像形成を行なう画像形成装置において、本画像形成装置の画像出力特性を所定の特性に設定するためのキャリブレーションを実行するキャリブレーション手段と、前記ホスト装置から画像データを受信した場合、前記キャリブレーション手段によってキャリブレーションが実行中のときは、当該実行中に少なくとも前記画像形成用データの作成を行う制御手段とを備えたことを特徴とする。
請求項１０の発明は、ホスト装置から受信した画像データに基づき画像形成用データを作成し、該画像形成用データに基づいて画像形成を行なう画像形成方法において、当該画像形成装置の画像出力特性を所定の特性に設定するためのキャリブレーションを実行するキャリブレーションステップと、前記ホスト装置から画像データを受信した場合、前記キャリブレーションステップによりキャリブレーションが実行中のときは、当該実行中に少なくとも前記画像形成用データの作成を行う制御ステップとを備えたことを特徴とする。